(57)【要約】【課題】原稿載置板に載置された原稿の画像データを読取るフラット・ベッド・スキャナを備えた画像読取装置において、原稿領域と原稿領域外の画素データを判別して定形サイズ以外の原稿であってもその正確な原稿サイズを検出することができる画像読取装置を提供すること。【解決手段】画像読取装置１は、原稿載置板１６に載置された原稿が白基準板２４よりも拡散反射率が高いプレスシート２２により載置板１６へ押圧された状態で原稿を含むプレスシート２２の輝度データを読取るフラットベッド読取部１５と、白基準板２４の輝度データを白側に所定量オフセットしたデータを基準にして原稿を含むプレスシート２２の輝度データをシェーディング補正する第２シェーディング補正回路２９と、該補正後のデータを２値化する２値化回路３０と、２値化後のデータに基づいて原稿の縁を検出する判別回路３１と、を備える。【選択図】      図３
2006005627.tif 000002
【特許請求の範囲】
【請求項１】
白基準板の輝度データを基準にして、読取った原稿の輝度データをシェーディング補正する画像読取装置において、
原稿載置板に載置された原稿が前記白基準板よりも拡散反射率が高いプレスシートにより前記原稿載置板へ押圧された状態で前記原稿を含む前記プレスシートの輝度データを読取る読取手段と、前記白基準板の輝度データを白側に所定量オフセットしたデータを基準にして前記原稿を含むプレスシートの輝度データをシェーディング補正するシェーディング補正手段と、該手段によるシェーディング補正後のデータを２値化する２値化手段と、２値化後のデータに基づいて前記原稿の縁を検出する検出手段と、を備えることを特徴とする画像読取装置。
【請求項２】
白基準板の輝度データを基準にして、読取った原稿の輝度データをシェーディング補正する画像読取装置において、
原稿載置板に載置された原稿が前記白基準板よりも拡散反射率が高いプレスシートにより前記原稿載置板へ押圧された状態で前記原稿を含む前記プレスシートの輝度データを読取る読取手段と、プレスシートの輝度データを基準にして前記原稿を含むプレスシートの輝度データをシェーディング補正するシェーディング補正手段と、該手段によるシェーディング補正後のデータを２値化する２値化手段と、２値化後のデータに基づいて前記原稿の縁を検出する検出手段と、を備えることを特徴とする画像読取装置。
【請求項３】
白基準板の輝度データを基準にして、読取った原稿の輝度データをシェーディング補正する画像読取装置において、
原稿載置板に載置された原稿が前記白基準板よりも拡散反射率が高いプレスシートにより前記原稿載置板へ押圧された状態で前記原稿を含む前記プレスシートの輝度データを読取る読取手段と、前記白基準板の輝度データを白側にオフセットした閾値データにより前記原稿を含むプレスシートの輝度データを２値化する２値化手段と、２値化後のデータに基づいて前記原稿の縁を検出する検出手段と、を備えることを特徴とする画像読取装置。
【請求項４】
白基準板の輝度データを基準にして、読取った原稿の輝度データをシェーディング補正する画像読取装置において、
原稿載置板に載置された原稿が前記白基準板よりも拡散反射率が高いプレスシートにより前記原稿載置板へ押圧された状態で前記原稿を含む前記プレスシートの輝度データを読取る読取手段と、プレスシートの輝度データを黒側にオフセットした閾値データにより前記原稿を含むプレスシートの輝度データを２値化する２値化手段と、２値化後のデータに基づいて前記原稿の縁を検出する検出手段と、を備えることを特徴とする画像読取装置。
【請求項５】
前記シェーディング補正手段による処理と並行して、前記白基準板の輝度データを基準にして前記原稿を含むプレスシートの輝度データをシェーディング補正する手段を備えることを特徴とする請求項１又は２記載の画像読取装置。
【請求項６】
前記２値化手段による処理と並行して、前記白基準板の輝度データを基準にして前記原稿を含むプレスシートの輝度データをシェーディング補正する手段を備えることを特徴とする請求項３又は４記載の画像読取装置。
【請求項７】
前記シェーディング補正手段は、前記原稿を含むプレスシートの輝度データに間引き処理を施したデータをシェーディング補正することを特徴とする請求項５記載の画像読取装置。
【請求項８】
前記２値化手段は、前記原稿を含むプレスシートの輝度データに間引き処理を施したデータを２値化することを特徴とする請求項６記載の画像読取装置。
【請求項９】
前記原稿を含むプレスシートの輝度データのうち、前記検出手段が検出した前記原稿の縁によって囲まれた画素データからなる輝度データに対して画像処理を行う手段を備えることを特徴とする請求項１乃至８のいずれか１に記載の画像読取装置。
【発明の詳細な説明】
【技術分野】
【０００１】
本発明は、原稿載置板に載置された原稿の輝度データを読取るフラット・ベッド・スキャナ（ＦＢＳ：Flat Bed Scanner）を備えた画像読取装置に関し、詳しくは原稿載置板に載置された原稿がプレスシートにより原稿載置板へ押圧された状態で原稿を含むプレスシートの輝度データを読取って原稿サイズを検出する画像読取装置に関するものである。
【背景技術】
【０００２】
透明な原稿載置板に載置された原稿の輝度データを読取る、いわゆるフラット・ベッド・スキャナを備えた画像読取装置では、例えば、原稿の本読取り開始前の予備走査（プレスキャン）において原稿の画像を主走査ライン毎に数ライン程度走査して原稿幅を検出するとともに、所定位置に配設された原稿検出センサにより原稿の縦方向の長さを検出することにより、原稿の読取り開始前に原稿サイズを検出している。
【０００３】
しかし、上記のような方法で原稿サイズを検出する画像読取装置の多くは、Ａ４やＢ４等の定形サイズの原稿が載置されることを前提としているため、定形サイズ以外の原稿が載置された場合に正しい原稿サイズを検出することができないことがあり、場合によってはユーザが原稿サイズを入力しなければならなかった。また、原稿が斜めに載置された場合にも、正しい原稿サイズを検出することができないことがあった。
【０００４】
かかる事情を考慮して原稿サイズを検出する装置として、特許文献１に開示されている画像読取装置がある。この画像読取装置５０は、図１１に示すように、透明な原稿載置板５１、該載置板５１に載置された原稿５２を上方から押圧して原稿載置板５１に密着させる原稿カバー５３、原稿５２に光を照射する光源５４、原稿５２からの反射光を所定の方向へ導く反射ミラー５５、反射光を収束する収束レンズ５６、収束光の可視光成分のみを透過するフィルタ５７、透過した収束光を電気信号に変換して出力するＣＣＤ（Charge Coupled Device）５８等を備えている。
【０００５】
そして、前記原稿カバー５３の下面には、光線を吸収する板状の吸光部材５９が貼付けられるとともに、更にその吸光部材５９の下面に光線の透過する板状の透明部材６０が貼付けられており、原稿の読取り開始命令があると、原稿５２を含む原稿カバー５３表面の輝度データがＣＣＤ５８によって主走査ライン毎に読取られ、読取られた輝度データに対してＡ／Ｄ変換、シェーディング補正が行われる。図１２は、輝度データのうちのシェーディング補正後の１ライン（主走査ライン）分の輝度データの濃度（以下、「輝度値」ともいう。）を示した図であり、光源５４から原稿カバー５３に入射された光が吸光部材５９により減衰されており、原稿５２内の黒レベルに対して原稿カバー５３の黒レベルが若干低く（黒く）なっている。このようにして得られた輝度データから原稿サイズを検出するために、画像読取装置５０には比較処理部（不図示）が設けられており、該比較処理部において、原稿カバー５３の黒レベルと原稿５２の黒レベルの中間の値を基準値Ｔｈとし、輝度値が基準信号Ｔｈ以下の画素データを全て原稿領域外であると判断して、原稿の画素データと原稿領域外の画素データとを判別する処理を主走査ライン毎に行って正確な原稿サイズを検出している。
【特許文献１】特開平６−１１３１０４号公報
【発明の開示】
【発明が解決しようとする課題】
【０００６】
しかしながら、特許文献１の画像読取装置５０では、縁が黒い原稿５２を含む吸光部材５９の画像を読取った際に原稿の縁の輝度値と吸光部材５９の輝度値とが近い値をとる場合には、原稿領域と原稿以外の領域とを判別できないおそれがある。
【０００７】
また、吸光部材５９が黒色に形成されているため、定形サイズよりも小さい原稿を定形サイズを指定して読取ると、定形サイズと原稿サイズが異なるために、原稿の画像データの画像が記録された記録紙において、縁が黒色に記録されてしまい、トナーが無駄に使用されてしまうという問題がある。そして、これを防止するために、黒色で記録されてしまう部分の画素データを白色の画素データに変換するという通常の画像処理では必要のない処理を行わなければならない。
【０００８】
また、原稿カバー５３の吸光部材５９を原稿５２内の黒を読んだ場合よりも反射光量が少なくなるような材料で形成することは困難であり、可能であるとしても原稿カバー５３の構造が複雑になることから、装置コストが増大する等の問題が生じることが当然考えられる。
【０００９】
本発明は、かかる課題に鑑みてなされたものであり、透明な原稿載置板に載置された原稿の輝度データを読取るフラット・ベッド・スキャナを備えた画像読取装置において、原稿領域の画素データと原稿領域外の画素データを判別して定形サイズ以外の原稿であってもその正確な原稿サイズを検出することができる画像読取装置を提供することを目的とする。
【課題を解決するための手段】
【００１０】
上記目的を達成するために、請求項１記載の画像読取装置は、白基準板の輝度データを基準にして、読取った原稿の輝度データをシェーディング補正する画像読取装置において、原稿載置板に載置された原稿が前記白基準板よりも拡散反射率が高いプレスシートにより前記原稿載置板へ押圧された状態で前記原稿を含む前記プレスシートの輝度データを読取る読取手段と、前記白基準板の輝度データを白側に所定量オフセットしたデータを基準にして前記原稿を含むプレスシートの輝度データをシェーディング補正するシェーディング補正手段と、該手段によるシェーディング補正後のデータを２値化する２値化手段と、２値化後のデータに基づいて前記原稿の縁を検出する検出手段と、を備えることを特徴としている。
【００１１】
請求項２記載の画像読取装置は、白基準板の輝度データを基準にして、読取った原稿の輝度データをシェーディング補正する画像読取装置において、原稿載置板に載置された原稿が前記白基準板よりも拡散反射率が高いプレスシートにより前記原稿載置板へ押圧された状態で前記原稿を含む前記プレスシートの輝度データを読取る読取手段と、プレスシートの輝度データを基準にして前記原稿を含むプレスシートの輝度データをシェーディング補正するシェーディング補正手段と、該手段によるシェーディング補正後のデータを２値化する２値化手段と、２値化後のデータに基づいて前記原稿の縁を検出する検出手段と、を備えることを特徴としている。
【００１２】
請求項３記載の画像読取装置は、白基準板の輝度データを基準にして、読取った原稿の輝度データをシェーディング補正する画像読取装置において、原稿載置板に載置された原稿が前記白基準板よりも拡散反射率が高いプレスシートにより前記原稿載置板へ押圧された状態で前記原稿を含む前記プレスシートの輝度データを読取る読取手段と、前記白基準板の輝度データを白側にオフセットした閾値データにより前記原稿を含むプレスシートの輝度データを２値化する２値化手段と、２値化後のデータに基づいて前記原稿の縁を検出する検出手段と、を備えることを特徴としている。
【００１３】
請求項４記載の画像読取装置は、白基準板の輝度データを基準にして、読取った原稿の輝度データをシェーディング補正する画像読取装置において、原稿載置板に載置された原稿が前記白基準板よりも拡散反射率が高いプレスシートにより前記原稿載置板へ押圧された状態で前記原稿を含む前記プレスシートの輝度データを読取る読取手段と、プレスシートの輝度データを黒側にオフセットした閾値データにより前記原稿を含むプレスシートの輝度データを２値化する２値化手段と、２値化後のデータに基づいて前記原稿の縁を検出する検出手段と、を備えることを特徴としている。
【００１４】
請求項５記載の画像読取装置は、請求項１又は２に記載の画像読取装置において、前記シェーディング補正手段による処理と並行して、前記白基準板の輝度データを基準にして前記原稿を含むプレスシートの輝度データをシェーディング補正する手段を備えることを特徴としている。
【００１５】
請求項６記載の画像読取装置は、請求項３又は４記載の画像読取装置において、前記２値化手段による処理と並行して、前記白基準板の輝度データを基準にして前記原稿を含むプレスシートの輝度データをシェーディング補正する手段を備えることを特徴としている。
【００１６】
請求項７記載の画像読取装置は、請求項５に記載の画像読取装置において、前記シェーディング補正手段は、前記原稿を含むプレスシートの輝度データに間引き処理を施したデータをシェーディング補正することを特徴としている。
【００１７】
請求項８記載の画像読取装置は、請求項６に記載の画像読取装置において、前記２値化手段は、前記原稿を含むプレスシートの輝度データに間引き処理を施したデータを２値化することを特徴としている。
【００１８】
請求項９記載の画像読取装置は、請求項１乃至８のいずれか１に記載の画像読取装置において、前記原稿を含むプレスシートの輝度データのうち、前記検出手段が検出した前記原稿の縁によって囲まれた画素データからなる輝度データに対して画像処理を行う手段を備えることを特徴としている。
【発明の効果】
【００１９】
請求項１に記載の画像読取装置によれば、定形サイズ以外の原稿が原稿載置板に載置された場合や、原稿が斜めに載置された場合であっても、原稿の縁を検出して原稿載置板に載置された原稿の正確な原稿サイズを判定することができる。また、原稿の縁を検出するためにシェーディング補正後のデータを２値化するため、２値化に使用する閾値データに一定値を用いることができ、２値化処理を容易に行うことができる。
【００２０】
請求項２に記載の画像読取装置によれば、定形サイズ以外の原稿が原稿載置板に載置された場合や、原稿が斜めに載置された場合であっても、原稿の縁を検出して原稿載置板に載置された原稿の正確な原稿サイズを判定することができる。また、原稿の縁を検出するためにシェーディング補正後のデータを２値化するため、２値化に使用する閾値データに一定値を用いることができ、２値化処理を容易に行うことができる。
【００２１】
請求項３に記載の画像読取装置によれば、定形サイズ以外の原稿が原稿載置板に載置された場合や、原稿が斜めに載置された場合であっても、原稿の縁を検出して原稿載置板に載置された原稿の正確な原稿サイズを判定することができる。
【００２２】
請求項４に記載の画像読取装置によれば、定形サイズ以外の原稿が原稿載置板に載置された場合や、原稿が斜めに載置された場合であっても、原稿の縁を検出して原稿載置板に載置された原稿の正確な原稿サイズを判定することができる。
【００２３】
請求項５に記載の画像読取装置によれば、シェーディング補正手段による処理と並行して、白基準板の輝度データを基準にして原稿を含むプレスシートの輝度データをシェーディング補正する手段を備えているので、原稿の縁を検出するためのシェーディング補正手段による処理と、いわゆるシェーディング補正とを同時に行うことができる。したがって、原稿の縁を検出するための予備走査（プレスキャン）を行う必要がないという利点がある。
【００２４】
請求項６に記載の画像読取装置によれば、２値化手段による処理と並行して、白基準板の輝度データを基準にして原稿を含むプレスシートの輝度データをシェーディング補正する手段を備えているので、原稿の縁を検出するための２値化手段による処理と、いわゆるシェーディング補正とを同時に行うことができる。したがって、原稿の縁を検出するための予備走査を行う必要がないという利点がある。
【００２５】
請求項７に記載の画像読取装置によれば、原稿を含むプレスシートの輝度データの全てを用いて原稿の縁を検出する場合に比べて、原稿の縁を検出する処理を高速化することができる。また、原稿の縁を検出する処理にかかる消費電力を削減することができる。
【００２６】
請求項８に記載の画像読取装置によれば、原稿を含むプレスシートの輝度データの全てを用いて原稿の縁を検出する場合に比べて、原稿の縁を検出する処理を高速化することができる。また、原稿の縁を検出する処理にかかる消費電力を削減することができる。
【００２７】
請求項９に記載の画像読取装置によれば、原稿サイズを判定するために読取られた原稿を含むプレスシートの輝度データのうち、不要なプレスシートの輝度データに対して画像処理が行われることはなく、必要な原稿領域の画素データからなる原稿の輝度データに対してのみ画像処理を行うことができる。
【発明を実施するための最良の形態】
【００２８】
以下、本発明の実施の形態に係る画像読取装置について、図面に基づき説明する。図１は、本発明の第１の実施形態に係る画像読取装置１の構成例を示したブロック図である。画像読取装置１は、図示するように制御部（ＭＰＵ：Microprocessing Unit）２、原稿読取部３、画像処理回路４、ページメモリ５、コーデック（ＣＯＤＥＣ：Coder and Decoder）６、画像メモリ７、記録部８、操作部９、表示部１０、ＲＯＭ（Read Only Memory）１１、及びＲＡＭ（Random Access Memory）１２を備えたものであって、各部２乃至１２は、バス１３によって通信可能に接続されている。
【００２９】
制御部２は、画像読取装置１の各部の動作を制御する。原稿読取部３は、原稿の輝度データを読取るものであり、図２に示すように、フラットベッド読取部（ＦＢＳ：Flat Bed Scanner）１５を備えている。このフラットベッド読取部１５は、図示するように、読取るべき原稿を載置するための透明な原稿載置板１６と、載置された原稿に光を照射する光源（不図示）及び原稿からの反射光を所定の方向へ導くための反射ミラー（不図示）を備え且つ原稿載置板１６に対して水平方向（副走査方向）に往復移動する走査キャリッジ１７と、反射光を収束する集光レンズ１８と、収束光を電気信号に変換して出力するラインセンサ（ＣＣＤ：Charge Coupled Device）１９、とを備えてなる縮小光学系の画像読取ユニットである。
【００３０】
このフラットベッド読取部１５の上方には、フラットベッド読取部１５本体の上面奥に設けられた支持部２０を軸として原稿載置板１６に対して開閉可能な原稿押圧部材２１が設けられている。この原稿押圧部材２１の原稿載置板１６と接する側の表面には、原稿載置板１６に載置された原稿を上方から押圧して原稿載置板１６に密着させるとともに、原稿の背景として原稿の周辺部に影が生じるのを防ぐためにプレスシート２２が貼設されている。
【００３１】
原稿載置板１６に原稿が載置されて原稿押圧部材２１が閉じられた後、操作部９の所定操作により原稿の読取り開始命令があると、走査キャリッジ１７が原稿載置板１６に対して図中の矢印で示すように水平に移動しながら原稿載置板１６上の原稿を走査し、原稿からの反射光をラインセンサ１９へ導いて結像することによって原稿載置板１６に載置された原稿の輝度データが主走査ライン毎に読取られるようになっている。なお、後述するが、原稿の読取りを行う際に原稿載置板１６に載置された原稿の正確な原稿サイズを判定（検出）するために、原稿を含むプレスシート２２の輝度データがラインセンサ１９により読取られて所定の出力先に出力されるようになっている。なお、輝度データを構成する各画素データは、その明暗情報が数値（以下、「輝度値」という。）によって表されており、輝度値が低いほどその画素データが暗く（黒く）、逆に輝度値が高いほどその画素データが明るい（白い）ことを示している。また、輝度データを構成する各画素データには、それぞれ位置情報が付加されており、各画素データが原稿載置板１６上のどの画素を読取ったものであるか容易に判断できるようになっている。
【００３２】
また、原稿押圧部材２１の上部には、図示していないが自動原稿搬送部（ＡＤＦ：Automatic Document Feeder）が設けられている。ラインセンサ１９は、走査キャリッジ１７が透光板２３の下方に固定された状態で前記自動原稿搬送部によって搬送される原稿を前記透光板２３の上方の所定の読取位置にて走査することにより、自動原稿搬送部によって搬送される原稿の輝度データを読取ることも可能である。なお、前記所定の読取位置を通過する原稿を透光板２３に近接させるガイドとして、透光板２３と対向する位置に白色テープを貼り付けられたり、白色に塗装されることにより白色に形成された白基準板（シェーディングプレート）２４が設けられている。
【００３３】
なお、上記のプレスシート２２は、原稿の背景として原稿の周辺部に影が生じるのを防ぐことができ、且つプレスシート２２の下面（原稿又は原稿載置板１６と接する面）が無地で且つその拡散反射率がこの白基準板２４よりも高い材料で形成されている。したがって、フラットベッド読取部１５は、原稿載置板１６に載置された原稿が白基準板２４よりも拡散反射率が高いプレスシート２２により原稿載置板１６へ押圧された状態で原稿を含むプレスシート２２の輝度データを読取る読取手段として機能する。
【００３４】
図３は、本発明の第１の実施形態にかかる画像読取装置１における原稿読取部３の構成を示したブロック図である。原稿読取部３は、図示するように、上記のラインセンサ１９（不図示）等を具備するフラットベッド読取部１５の他に、ＡＦＥ（Analog Front End）回路２６、Ａ／Ｄ変換回路２７、第１シェーディング補正回路２８、第２シェーディング補正回路２９、２値化回路３０、及び判別回路３１を具備している。
【００３５】
ＡＦＥ回路２６は、フラットベッド読取部１５のラインセンサ１９が読取った原稿を含むプレスシート２２のアナログ輝度データに対して、予め設定されたゲイン設定値に基づいて前記アナログ輝度データを構成する各画素データの輝度値を増幅するゲイン調整を行う。Ａ／Ｄ変換回路２７は、ＡＦＥ回路２６においてゲイン調整されたアナログ輝度データをデジタル輝度データにＡ／Ｄ変換（Analog to Digital Conversion）する。
【００３６】
第１シェーディング補正回路２８は、Ａ／Ｄ変換回路２７から出力された原稿を含むプレスシート２２の輝度データに対して通常シェーディング補正を行う。ここで、通常シェーディング補正は、光量ムラや光学部品の影響、及びラインセンサ１９の画素感度のバラツキを補正するために行われる、所謂シェーディング補正である。この第１シェーディング補正回路２８は、シェーディングＲＡＭ３２を具備しており、該シェーディングＲＡＭ３２には、フラットベッド読取部１５のラインセンサ１９が白基準板２４の画像を読取って取得した白基準板２４の輝度データ（以下、「シェーディングデータ」ともいう。）が格納されている。この白基準板２４の輝度データは、具体的には、主走査方向に１ラインのデータである。第１シェーディング補正回路２８は、Ａ／Ｄ変換回路２７から出力された原稿を含むプレスシート２２の輝度データに対してこのシェーディングＲＡＭ３２に格納されているシェーディングデータを基準にしてシェーディング補正（通常シェーディング補正）を行う。このように、画像読取装置１は、白基準板２４の輝度データを基準にして、読取った原稿の輝度データをシェーディング補正する機能を備えている。
【００３７】
なお、白基準板２４の輝度データをシェーディングＲＡＭ３２に格納するタイミングは、原稿を含むプレスシート２２の輝度データの読取り開始前であれば特に限定されるものではなく、例えば画像読取装置１の電源がＯＮされる度に読取ってシェーディングＲＡＭ３２に格納したり、原稿を含むプレスシート２２の輝度データの読取り開始命令がある度に当該輝度データの読取り開始前に読取って格納してもよい。また、原稿読取り時に限らず、ユーザによる取込み指示操作が操作部９において行われた場合に、白基準板２４の輝度データを取得してシェーディングＲＡＭ３２に格納するようにしてもよい。
【００３８】
第２シェーディング補正回路２９は、Ａ／Ｄ変換回路２７から出力された原稿を含むプレスシート２２の輝度データに対して原稿サイズ判定用シェーディング補正を行う。原稿サイズ判定用シェーディング補正は、ラインセンサ１９が読取った原稿載置板１６に載置された原稿を含むプレスシート２２の輝度データに対して、載置された原稿の正確な原稿サイズを判定するために行われるシェーディング補正である。
【００３９】
第２シェーディング補正回路２９は、後に詳述するが、第１シェーディング補正回路２８が具備するシェーディングＲＡＭ３２の白基準板２４の輝度データを白側に所定量オフセットしたデータ（基準データ）を基準にしてＡ／Ｄ変換回路２７から出力された原稿を含むプレスシート２２の輝度データをシェーディング補正するシェーディング補正手段として機能し、この第２シェーディング補正回路２９によって処理されたシェーディング補正後のデータは、２値化回路３０へと出力される。
【００４０】
２値化回路３０は、シェーディング補正後のデータを２値化する２値化手段として機能し、第２シェーディング補正回路２９が原稿サイズ判定用シェーディング補正したデータを所定の閾値に基づいて２値化（階調減少処理）する。判別回路３１は、２値化後のデータに基づいて原稿の縁を検出する検出手段として機能し、２値化回路３０によって２値化されたデータに基づいて、ラインセンサ１９が原稿を含むプレスシート２２表面の画像を読取って取得した原稿を含むプレスシート２２の輝度データを原稿領域の画素データと原稿領域外の画素データとに判別する処理を行う。この判別回路３１の判別結果は、画像処理部４へと出力される。
【００４１】
なお、第１シェーディング補正回路２８による通常シェーディング補正の処理と第２シェーディング補正回路２９による原稿サイズ判定用のシェーディング補正の処理とは並行して行われるようになっており、第１シェーディング補正回路２８は、シェーディング補正手段（第２シェーディング補正回路２９）による処理と並行して、白基準板２４の輝度データを基準にして原稿を含むプレスシート２２の輝度データをシェーディング補正する手段として機能する。
【００４２】
画像処理回路４は、原稿を含むプレスシート２２の輝度データのうち、判別回路（検出手段）３１が検出した原稿の縁によって囲まれた画素データからなる輝度データに対して画像処理を行う手段として機能する。具体的には、判別回路３１から出力された判別結果に基づいて、第１シェーディング補正回路２８において通常シェーディング補正が施された原稿を含むプレスシート２２の輝度データ（以下、通常シェーディング補正が施された後の輝度データを「画像データ」という。）のうち、原稿領域の画素データからなる原稿の画像データに対してのみ画像処理を行う。ここで、画像処理回路４が行う画像処理は、原稿の画像データの画像を記録部８において用紙に記録するための画像処理であり、具体的には、γ補正、拡大／縮小の変倍処理、２値化処理等の画像処理である。このようにして画像処理回路４において必要な画像処理が施された原稿の画像データは、ページメモリ５へと出力される。なお、この画像処理回路４において行われる２値化処理は、２値化回路３０において行われる原稿サイズを判定するための２値化ではなく、原稿の画像データの画像を用紙に記録するための２値化処理である。また、本実施の形態においては、２値化回路３０において原稿サイズを判定するための２値化を行う場合について説明するが、２値化回路３０を設けず、この画像処理回路４において原稿サイズを判定するための２値化も併せて行うようにしてもよい。
【００４３】
ページメモリ５は、画像処理回路４において画像処理が施された原稿の画像データを蓄積するメモリである。コーデック６は、画像データを符号化（エンコード）・復号（デコード）するものである。ここでは、画像処理回路４で必要な画像処理が行われたページメモリ５の原稿の画像データをＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。
【００４４】
画像メモリ７は、コーデック６において符号化された画像データ、画像処理回路４から直接出力された画像データ等を格納する。記録部８は、画像メモリ７から読み出された画像データの画像を用紙に記録するものである。この記録部８における記録方式としては、例えば、電子写真方式やインクジェット記録方式等の各種の記録方式を用いることができる。
【００４５】
操作部９は、図２に例示するように、原稿読取部３（不図示）に原稿の読取り開始を指示するためのスタートキー３３、コピー部数等を入力するためのテンキー３４、原稿の読取倍率を設定するための倍率設定キー３５、原稿の読取濃度を設定するための濃度設定キー３６など、表示部１０と連動した各種操作キーを備えている。表示部１０は、各種の設定画面や画像読取装置１の動作状態などを文字や図形などで表示する液晶表示装置（ＬＣＤ：Liquid Crystal Display）３７や、点灯又は消灯で表示するＬＥＤランプ３８などを備えている。
【００４６】
ＲＯＭ１１は、制御部２によりこの画像読取装置１の各部の動作が制御されるための各種プログラムを格納している。画像読取装置１の各部の処理動作は、このＲＯＭ１１に格納されている各種プログラムに基づいて制御部２が発行する命令に従って行われる。ＲＡＭ１２は、画像読取装置１の処理動作に用いる設定情報や動作情報等の各種データを読み出し及び書込み可能な状態で格納している。
【００４７】
以下、フラットベッド読取部１５で原稿を含むプレスシート２２の輝度データが読取られてからページメモリ５に格納されるまでに、上記のように構成された画像読取装置１において行われる処理について、図２乃至図４に基づいて説明する。まず、ユーザによってフラットベッド読取部１５の原稿載置板１６に原稿が載置され、原稿押圧部材２１が閉じられた後、操作部９のスタートキー３３が押下されると、フラットベッド読取部１５の走査キャリッジ１７が原稿載置板１６に沿って水平方向（副走査方向）に原稿を含むプレスシート２２を走査することにより、ラインセンサ１９は、原稿を含むプレスシート２２の輝度データを主走査ライン毎に読取る。
【００４８】
このようにして、フラットベッド読取部１５のラインセンサ１９によって読取られた原稿を含むプレスシート２２の輝度データは、図３に示すように、ＡＦＥ回路２６へと順次出力され、該ＡＦＥ回路２６において予め設定されたゲイン設定値に基づいてゲイン調整される。続いて、ＡＦＥ回路２６においてゲイン調整された原稿を含むプレスシート２２の輝度データは、Ａ／Ｄ変換回路２７へと出力され、該Ａ／Ｄ変換回路２７においてアナログ輝度データからデジタル輝度データへとＡ／Ｄ変換される。
【００４９】
次に、Ａ／Ｄ変換回路２７においてＡ／Ｄ変換された原稿を含むプレスシート２２の輝度データは、第１シェーディング補正回路２８と第２シェーディング補正回路２９へ同時に出力される。第１シェーディング補正回路２８は、シェーディングＲＡＭ３２に予め格納されている白基準板２４の輝度データを基準にして、Ａ／Ｄ変換回路２７から出力された原稿を含むプレスシート２２の輝度データを通常シェーディング補正する。このようにして、第１シェーディング補正回路２８において通常シェーディング補正が施された原稿を含むプレスシート２２の画像データは、画像処理回路４へと出力される。
【００５０】
一方、第２シェーディング補正回路２９に対してもＡ／Ｄ変換回路２７から原稿を含むプレスシート２２の輝度データが出力されるが、原稿を含むプレスシート２２の輝度データの全てが出力されるわけではなく、第２シェーディング補正回路２９へは、間引き処理が施された原稿を含むプレスシート２２の輝度データが出力されるようになっている。例えば、原稿の主走査方向に６００ｄｐｉの解像度で読取った原稿を含むプレスシート２２の輝度データがＡ／Ｄ変換回路２７から第１シェーディング補正回路２８へ出力されるような場合には、これに間引き処理が施された１２５ｄｐｉ程度の原稿を含むプレスシート２２の輝度データがＡ／Ｄ変換回路２７から第２シェーディング補正回路２９へと出力される。これは、原稿サイズを判定するためには、６００ｄｐｉもの高精細なデータは必要なく、１２５ｄｐｉ程度のデータがあれば十分だからである。ただし、高精細のデータを用いた場合、低精細のデータを用いた場合よりもより正確な原稿サイズを判定することが可能であるが、逆に処理に時間がかかるという問題が生じるので、これらのことを考慮して、原稿を含むプレスシート２２の輝度データに対して間引く画素データの割合を決定するようにすればよい。したがって、シェーディング補正手段として機能する第２シェーディング補正回路２９は、原稿を含むプレスシート２２の輝度データに間引き処理を施したデータをシェーディング補正する。
【００５１】
図４の（ａ）は、フラットベッド読取部１５のラインセンサ１９が読取った原稿を含むプレスシート２２の輝度データ（Ｉｍａｇｅ）とシェーディングＲＡＭ３２から読み出した白基準板２４の輝度データ（Ｐ）を１ライン（主走査ライン）について例示した図である。第２シェーディング補正回路２９には、同図（ａ）の状態から同図（ｂ）の状態となるように、シェーディングＲＡＭ３２から読み出された白基準板２４の輝度データを白側に所定量オフセットした基準データ（Ｗ）が入力される。そして、第２シェーディング補正回路２９は、入力された基準データを基準にして原稿を含むプレスシート２２の輝度データをシェーディング補正する。なお、第２シェーディング補正回路２９は、原稿を含むプレスシート２２の輝度データに対して１画素ずつ原稿サイズ判定用シェーディング補正を行うので、基準データは、１画素ずつ第２シェーディング補正回路２９へ入力される。
【００５２】
なお、図示しないが、原稿読取部３は、ＡＳＩＣ（Application Specific Integrated Circuit）等の専用回路によって構成されており、該ＡＳＩＣが備える演算処理回路によってＡ／Ｄ変換回路２７から出力された原稿を含むプレスシート２２の輝度データに対して間引き処理が施されたデータを第２シェーディング補正回路２９へと出力したり、シェーディングＲＡＭ３２に格納されている白基準板２４の輝度データを白側に所定量オフセットしたデータを第２シェーディング補正回路２９へと出力することが可能である。また、第２シェーディング補正回路２９は、間引き処理が施された原稿を含むプレスシート２２の輝度データを原稿サイズ判定用シェーディング補正するため、白側に所定量オフセットした白基準板２４の輝度データの全てを第２シェーディング補正回路２９へ入力する必要はない。したがって、第２シェーディング補正回路２９へは、白側に所定量オフセットされた白基準板２４の輝度データに対して、原稿を含むプレスシート２２の輝度データと同じように間引き処理が施されたデータが入力されるようになっている。
【００５３】
図４の（ｃ）は、第２シェーディング補正回路２９によりシェーディング補正された後のデータを示した図である。２値化回路３０は、このシェーディング補正後のデータを所定の閾値（Ｔｈｒｅｓｈｏｌｄ）に基づいて２値化する処理を行う。図４の（ｄ）は、２値化回路３０が２値化したデータを示した図である。ここで、「１」の値を示すデータは、原稿サイズを判定するための処理が行われる前の輝度値を持つ元々の画素データが、プレスシート２２の画像を読取って取得した画素データ（プレスシート領域の画素データ）であることを示しており、「１」の値を示すデータ群によって挟み込まれた「０」の値を示すデータは、原稿サイズを判定するための処理が行われる前の輝度値を持つ元々の画素データが、原稿の画像を読取って取得した画素データ（原稿領域の画素データ）であることを示している。判別回路３１は、この２値化後のデータに基づいて原稿の縁を検出する。具体的には、２値化後のデータに基づいて、原稿を含むプレスシート２２の輝度データを原稿領域の画素データと原稿領域外（プレスシート２２）の画素データに判別する処理を行う。このようにして、判別回路３１によって原稿を含むプレスシート２２の輝度データを原稿領域の画素データとプレスシート領域の画素データとに判別する処理が行われると、その判別結果は、画像処理回路４へと出力される。
【００５４】
画像処理回路４は、第１シェーディング補正回路２８において通常シェーディング補正された原稿を含むプレスシート２２の画像データと、判別回路３１からの判別結果とが入力されると、入力された判別結果に基づいて、入力された原稿を含むプレスシート２２の画像データのうち、必要なデータに対してのみ画像処理を行う。すなわち、原稿を含むプレスシート２２の画像データのうちの原稿領域の画素データについてのみ拡大／縮小の変倍処理等の画像処理を行う。このようにして画像処理回路４において必要な画像処理が施された画素データからなる原稿の画像データは、ページメモリ５に格納される。そして、ページメモリ５に格納された原稿の画像データは、図示していないが、コーデック６において所定の符号化方式で符号化された後に画像メモリ７に一旦格納され、記録部８の処理動作に合わせて順次読み出されるとともにコーデック６において復号され、記録部８においてその画像が用紙に記録される。
【００５５】
以上説明したように、画像読取装置１によれば、第２シェーディング補正回路２９、２値化回路３０、及び判別回路３１の処理により、原稿を含むプレスシート２２の輝度データを構成する画素データを、原稿領域の画素データと原稿領域外の画素データとに判別することができ、これにより正確な原稿サイズを検出することが可能である。また、これらの各部２９乃至３１において行われる処理は、原稿を含むプレスシート２２の輝度データ全てに対して行われるわけではなく、間引き処理が施されたデータに対して行われるので、全てのデータを用いて原稿の縁を検出する処理を行う場合に比べて、その処理を高速で行うことができ、また、原稿の縁を検出するための上記の各部２９乃至３１等が処理を実行するために必要な電力（消費電力）を削減することができるという利点がある。また、第１シェーディング補正回路２８による通常シェーディング補正と、第２シェーディング補正回路２９による原稿サイズ判定用シェーディング補正と、が並行して行われるので、原稿サイズを判定するために原稿の本読取り前に予備走査（プレスキャン）を行う必要がないという利点がある。
【００５６】
次に、本発明の第２の実施形態に係る画像読取装置１Ａについて説明する。この第２の実施形態においては、プレスシート２２の輝度データを基準にして原稿を含むプレスシートの輝度データをシェーディング補正（原稿サイズ判定用シェーディング補正）する場合について説明する。なお、この画像読取装置１Ａの全体の構成及び原稿読取部３Ａの一部の構成は、図１及び図３に示した第１の実施形態に係る画像読取装置１と同一であるため、同一の構成のものには同一番号を付けてその説明を省略し、主に異なる点（原稿読取部の構成）について以下で説明する。
【００５７】
図５は、本発明の第２の実施形態に係る画像読取装置１Ａにおける原稿読取部３Ａの構成を示すブロック図である。図示するように、原稿読取部３Ａは、図３に示す画像読取装置１の原稿読取部３に対して、第２シェーディング補正回路２９にシェーディングＲＡＭ４０が設けられている点で異なっている。このシェーディングＲＡＭ４０には、第２シェーディング補正回路２９が原稿サイズ判定用シェーディング補正を行う際に基準として用いるプレスシート２２の輝度データが格納されている。このプレスシート２２の輝度データは、フラットベッド読取部１５のラインセンサ１９が、原稿載置板１６に原稿が載置されていない状態、又は原稿が載置されていない領域において、プレスシート２２の画像を読取って取得した主走査方向に１ラインのデータである。すなわち、原稿を含まないプレスシート２２の輝度データである。
【００５８】
第２シェーディング補正回路２９は、ここでは、シェーディングＲＡＭ３２に格納されている白基準板２４の輝度データではなく、このシェーディングＲＡＭ４０に格納されているプレスシート２２の輝度データを基準にして、入力される原稿を含むプレスシート２２の輝度データをシェーディング補正するシェーディング補正手段として機能する。なお、上記の通り、第２シェーディング補正回路２９には、原稿を含むプレスシート２２の輝度データが全て入力されるわけではなく、一部の画素データが間引かれた原稿を含むプレスシート２２の輝度データが入力されるので、シェーディングＲＡＭ４０には、原稿を含むプレスシート２２の輝度データに対して行われる間引き処理と同じ間引き処理が施されたプレスシート２２の輝度データが格納されるようになっている。
【００５９】
図６の（ａ）は、フラットベッド読取部１５のラインセンサ１９が読取った原稿を含むプレスシート２２の輝度データ（Ｉｍａｇｅ）とシェーディングＲＡＭ４０から読み出したプレスシート２２の輝度データ（Ｓ）を１ライン（主走査ライン）について例示した図である。上記の第１の実施形態に係る画像読取装置１の第２シェーディング補正回路２９と同様に、間引き処理が施された原稿を含むプレスシート２２の輝度データが入力されると、第２シェーディング補正回路２９は、図示するプレスシート２２の輝度データをシェーディングＲＡＭ４０から読み出し、読み出したプレスシート２２の輝度データを基準にして原稿を含むプレスシート２２の輝度データを（原稿サイズ判定用）シェーディング補正する。同図（ｂ）は、シェーディング補正後のデータを示した図である。２値化回路３０は、このシェーディング補正後のデータを所定の閾値（Ｔｈｒｅｓｈｏｌｄ）に基づいて２値化する。同図（ｃ）は、２値化回路３０が２値化したデータを示した図である。ここで、「１」の値を示すデータは、図４の（ｄ）と同様に、プレスシート領域の画素データであることを示しており、「１」の値を示すデータ群によって挟み込まれた「０」の値を示すデータは、原稿領域の画素データであることを示している。判別回路３１は、この２値化後のデータに基づいて原稿の縁を検出する。具体的には、原稿を含むプレスシート２２の輝度データを、原稿領域の画素データと原稿領域外の画素データとに判別する処理を行う。
【００６０】
以上説明したように、第２の実施形態に係る画像読取装置１Ｂによれば、白基準板２４の輝度データではなく、プレスシート２２の輝度データを用いて原稿サイズ判定用シェーディング補正を行うことができる。なお、ここで、第２シェーディング補正回路２９が原稿サイズ判定用のシェーディング補正を行ったシェーディング補正後のデータを２値化回路３０が２値化し、２値化後のデータに基づいて判別回路３１が原稿の縁を検出する場合について説明したが、原稿サイズ判定用のシェーディング補正を行うことなく原稿の縁を検出することも可能である。
【００６１】
以下、読取った原稿を含むプレスシート２２の輝度データに対して、原稿サイズ判定用のシェーディング補正を行うことなく原稿の縁を検出する本発明の第３の実施形態に係る画像読取装置１Ｂについて説明する。なお、この画像読取装置１Ｂの全体の構成及び原稿読取部３Ｂの一部の構成は、図１に示した第１の実施形態に係る画像読取装置１と同一であるため、同一の構成のものには同一番号を付けてその説明を省略し、主に異なる点（原稿読取部の構成）について以下で説明する。
【００６２】
図７は、本発明の第３の実施形態に係る画像読取装置１Ｂにおける原稿読取部３Ｂの構成を示すブロック図である。図示するように、原稿読取部３Ｂは、図３に示す画像読取装置１の原稿読取部３に対して、シェーディング補正を行うための回路として、第２シェーディング補正回路２９が設けられておらず、シェーディング補正回路４１（第１シェーディング補正回路２８）のみが設けられている点で異なっている。シェーディング補正回路４１は、第１シェーディング補正回路２８と同様に、シェーディングＲＡＭ４２（シェーディングＲＡＭ３２）を具備しており、白基準板２４の輝度データが格納されている。
【００６３】
また、２値化回路３０は、ここでは、白基準板２４の輝度データを白側にオフセットした閾値データにより原稿を含むプレスシート２２の輝度データを２値化する２値化手段として機能し、判別回路３１は、２値化回路３０が２値化した２値化処理後のデータに基づいて原稿の縁を検出する検出手段として機能する。
【００６４】
なお、シェーディング補正回路４１と２値化回路３０へは、Ａ／Ｄ変換回路２７から出力された原稿を含むプレスシート２２の輝度データが同時に出力されるようになっており、シェーディング補正回路４１は、２値化手段（２値化回路３０）による処理と並行して、白基準板２４の輝度データを基準にして原稿を含むプレスシート２２の輝度データをシェーディング補正する手段として機能する。また、２値化回路３０には、第１の実施形態における第２シェーディング補正回路２９と同様に、間引き処理が施された原稿を含むプレスシート２２の輝度データが入力されるようになっている。したがって、２値化回路３０は、原稿を含むプレスシート２２の輝度データに間引き処理を施したデータを２値化する。
【００６５】
原稿読取部３Ｂにおいても、Ａ／Ｄ変換回路２７においてＡ／Ｄ変換された原稿を含むプレスシート２２の輝度データは、シェーディング補正回路４１と２値化回路３０へ同時に出力される。シェーディング補正回路４１は、前記第１シェーディング補正回路２８と同様に、入力された原稿を含むプレスシート２２の輝度データに対して、通常シェーディング補正を行ってシェーディング補正後の画像データを画像処理回路４へと出力する。
【００６６】
図８の（ａ）は、フラットベッド読取部１５のラインセンサ１９が読取った原稿を含むプレスシート２２の輝度データ（Ｉｍａｇｅ）とシェーディングＲＡＭ４２から読み出した白基準板２４の輝度データ（Ｐ）を１ライン（主走査ライン）について例示した図である。原稿読取部３Ｂは、同図（ａ）の状態から同図（ｂ）の状態となるように、白基準板２４の輝度データを白側にオフセットして２値化処理を行うための閾値データ（Ｔ）を生成し、間引き処理を行い、２値化回路３０へと入力する。そして、２値化回路３０は、入力された閾値データにより原稿を含むプレスシート２２の輝度データを２値化する。図８の（ｃ）は、２値化回路３０が２値化したデータを示した図である。ここで、「１」の値を示すデータは、図４の（ｄ）と同様に、プレスシート領域の画素データであることを示しており、「１」の値を示すデータ群によって挟み込まれた「０」の値を示すデータは、原稿領域の画素データであることを示している。判別回路３１は、この２値化後のデータに基づいて原稿の縁を検出する。具体的には、原稿を含むプレスシート２２の輝度データを、原稿領域の画素データと原稿領域外の画素データとに判別する処理を行う。
【００６７】
以上説明したように、第３の実施形態に係る画像読取装置１Ｂによれば、原稿サイズ判定用シェーディング補正を行うことなく原稿サイズを判定することができる。なお、ここでは２値化回路３０がシェーディングＲＡＭ４２に格納されている白基準板２４の輝度データを白側にオフセットした閾値データにより原稿を含むプレスシート２２の輝度データを２値化し、２値化後のデータに基づいて判別回路３１が原稿の縁を検出する場合について説明したが、プレスシート２２の輝度データを黒側にオフセットした閾値データにより原稿を含むプレスシート２２の輝度データを２値化するようにしてもよい。
【００６８】
以下、プレスシート２２の輝度データを黒側にオフセットした閾値データにより原稿を含むプレスシート２２の輝度データを２値化し、２値化後のデータに基づいて原稿の縁を検出する本発明の第４の実施形態に係る画像読取装置１Ｃについて説明する。なお、この画像読取装置１Ｃの全体の構成及び原稿読取部３Ｃの一部の構成は、図１及び図３に示した第１の実施形態に係る画像読取装置１と同一であるため、同一の構成のものには同一番号を付けてその説明を省略し、主に異なる点（原稿読取部の構成）について以下で説明する。
【００６９】
図９は、本発明の第４の実施形態に係る画像読取装置１Ｃにおける原稿読取部３Ｃの構成を示すブロック図である。図示するように、原稿読取部３Ｃは、図３に示す画像読取装置１の原稿読取部３に対して、シェーディング補正を行うための回路として、第２シェーディング補正回路２９が設けられておらず、シェーディング補正回路４１（第１シェーディング補正回路２８）のみが設けられている点で異なっている。シェーディング補正回路４１は、第１シェーディング補正回路２８と同様に、シェーディングＲＡＭ４２（シェーディングＲＡＭ３２）を具備している。
【００７０】
また、２値化回路３０は、ここでは、プレスシート２２の輝度データを黒側にオフセットした閾値データにより原稿を含むプレスシート２２の輝度データを２値化する２値化手段として機能し、判別回路３１は、２値化回路３０が２値化処理した２値化処理後のデータに基づいて原稿の縁を検出する検出手段として機能する。なお、２値化回路３０は、ここではレジスタ４３を具備しており、該レジスタ４３には、プレスシート２２の輝度データに基づいて生成された閾値データが格納されている。ここで、閾値データは、具体的にはフラットベッド読取部１５が原稿載置板１６に原稿が載置されていない状態で、又は原稿を除く領域において、プレスシート２２の画像を読取って得た主走査方向に１ラインのデータを黒側にオフセットしたものである。なお、２値化回路３０には、本発明の第３の実施形態において説明した２値化回路３０と同様に、間引き処理が施された原稿を含むプレスシート２２の輝度データが入力されるため、上記のオフセット後に、これと同じように間引き処理が施されたデータが閾値データとしてレジスタ４３に格納される。
【００７１】
原稿読取部３Ｃにおいても、Ａ／Ｄ変換回路２７においてＡ／Ｄ変換された原稿を含むプレスシート２２の輝度データは、シェーディング補正回路４１と２値化回路３０へ同時に出力される。シェーディング補正回路４１は、前記第１シェーディング補正回路２８と同様に、入力された原稿を含むプレスシート２２の輝度データに対して、通常シェーディング補正を行ってシェーディング補正後の画像データを画像処理回路４へと出力する。
【００７２】
図１０の（ａ）は、フラットベッド読取部１５のラインセンサ１９が読取った原稿を含むプレスシート２２の輝度データ（Ｉｍａｇｅ）と黒側にオフセットする前のプレスシート２２の輝度データ（Ｓ）を１ラインについて例示した図である。原稿読取部３Ｃは、同図（ａ）から同図（ｂ）の状態となるようにプレスシート２２の輝度データを黒側にオフセットして２値化処理を行うための閾値データを生成し、間引き処理を行ってこれをレジスタ４３に予め格納している。２値化回路３０は、レジスタ４３に格納されている閾値データに基づいて原稿を含むプレスシート２２の輝度データを２値化する。同図（ｃ）は、２値化回路３０が２値化したデータを示した図である。ここで、「１」の値を示すデータは、図４の（ｄ）と同様に、プレスシート領域の画素データであることを示しており、「１」の値を示すデータ群によって挟み込まれた「０」の値を示すデータは、原稿領域の画素データであることを示している。判別回路３１は、この２値化後のデータに基づいて原稿の縁を検出する。具体的には、原稿を含むプレスシート２２の輝度データを原稿領域の画素データと原稿領域外の画素データとに判別する処理を行う。
【００７３】
以上説明した画像読取装置１乃至１Ｃによれば、原稿領域の画素データと原稿領域外の画素データとを判別して原稿サイズを判定する処理を行うので、原稿載置板１６に原稿が斜めに載置されていたり、また載置された原稿が定形サイズの原稿でなかったとしても、その正確な原稿サイズを判定することができる。また、原稿を押圧するプレスシート２２の表面が白基準板２４よりも拡散反射率が高い材料で構成されているため、従来の画像読取装置のように、縁が黒ベタとなっている原稿を読取った場合に、原稿の画素データとプレスシート２２の画素データを区別できないおそれがあるといった問題が生じることはない。また、上記の通り、原稿を含むプレスシート２２の輝度データをシェーディング補正した後に２値化処理して原稿サイズを判定すること、及びシェーディング補正を行うことなく２値化処理して原稿サイズを判定することのいずれの方法でも正確な原稿サイズを判定することができるが、前者の場合、２値化処理で使用する閾値に一定（所定）の値を用いることができるので、２値化処理が簡単に行えるという利点がある。
【００７４】
なお、フラットベッド読取部１５のラインセンサ１９が読取った白基準板２４の輝度データやプレスシート２２の輝度データにはノイズが含まれており、このノイズが含まれた状態の輝度データを使用して閾値データを生成した場合、原稿領域の画素データと原稿領域外の画素データとを正確に判別することができないおそれがある。そのため、本実施形態に係る画像読取装置１乃至１Ｃでは、複数回の読取りによる平均値や、周辺の画素データとの平均をとること等により補正された輝度データがシェーディングＲＡＭ３２（４２）に格納され使用されるようになっている。したがって、２値化回路３０は、原稿領域の画素データと原稿領域外の画素データとを正確に判別するための２値化処理を行うことが可能である。
【００７５】
また、本実施形態では、読取った原稿を含むプレスシート２２の輝度データに対して通常シェーディング補正を行う処理と、原稿の縁を検出するための処理を並行して行う場合について説明したが、原稿の縁を検出して原稿サイズを判定する処理を予備走査（プレスキャン）において行い、予備走査での判別結果に基づいて原稿の本読取りを行うようにしてもよい。具体的には、原稿の予備走査を行って得た原稿を含むプレスシート２２の輝度データを原稿の画素データとプレスシート２２の画素データを判別する処理を行い、原稿の画素データであると判別した画素データによって構成される領域を原稿領域と判断して該原稿領域のみに対して本読取りを行う。
【００７６】
また、本実施の形態で示した画像読取装置１乃至１Ｃの構成は、本発明に係る画像読取装置の一態様にすぎず、本発明の要旨を逸脱しない範囲内で適宜設計変更できることは勿論であり、例えば、コピー装置、ファクシミリ装置、スキャナ装置、及びこれらの複合機としても実現可能である。
【産業上の利用可能性】
【００７７】
本発明は、例えば、原稿載置板に載置された原稿の輝度データを読取るフラットベッドスキャナを備えた各種装置に適用可能である。
【図面の簡単な説明】
【００７８】
【図１】本発明の第１の実施形態に係る画像読取装置の構成例を示したブロック図である。
【図２】フラットベッド読取部及び該読取部が備える原稿載置板に対して開閉可能に設けられた原稿押圧部材に貼設されているプレスシートについて説明するための概略斜視図である。
【図３】本発明の第１の実施形態に係る画像読取装置における原稿読取部の構成を示したブロック図である。
【図４】本発明の第１の実施形態に係る画像読取装置において行われる原稿サイズを判定するための原稿サイズ判定用シェーディング補正、２値化処理等について説明するための図である。
【図５】本発明の第２の実施形態に係る画像読取装置における原稿読取部の構成を示したブロック図である。
【図６】本発明の第２の実施形態に係る画像読取装置において行われる原稿サイズを判定するための原稿サイズ判定用シェーディング補正、２値化処理等について説明するための図である。
【図７】本発明の第３の実施形態に係る画像読取装置における原稿読取部の構成を示したブロック図である。
【図８】本発明の第３の実施形態に係る画像読取装置において行われる原稿サイズを判定するための２値化処理等について説明するための図である。
【図９】本発明の第４の実施形態に係る画像読取装置における原稿読取部の構成を示したブロック図である。
【図１０】本発明の第４の実施形態に係る画像読取装置において行われる原稿サイズを判定するための２値化処理等について説明するための図である。
【図１１】従来の画像読取装置の原稿読取部の構成を示した概略断面図である。
【図１２】従来の画像読取装置において行われる原稿サイズの判定処理について説明するための図である。
【符号の説明】
【００７９】
１、１Ａ、１Ｂ、１Ｃ    画像読取装置
２    制御部（ＭＰＵ）
３、３Ａ、３Ｂ、３Ｃ    原稿読取部
４    画像処理回路
１５    フラットベッド読取部
１６    原稿載置板
１９    ラインセンサ
２２    プレスシート
２４    白基準板
２８    第１シェーディング補正回路
２９    第２シェーディング補正回路
３０    ２値化回路
３１    判別回路
３２、４０、４２    シェーディングＲＡＭ
４１    シェーディング補正回路
４３    レジスタ
【図１】
2006005627.tif 000003
【図２】
2006005627.tif 000004
【図３】
2006005627.tif 000005
【図４】
2006005627.tif 000006
【図５】
2006005627.tif 000007
【図６】
2006005627.tif 000008
【図７】
2006005627.tif 000009
【図８】
2006005627.tif 000010
【図９】
2006005627.tif 000011
【図１０】
2006005627.tif 000012
【図１１】
2006005627.tif 000013
【図１２】
2006005627.tif 000014